(57)【要約】【課題】光過敏性発作の危険性を十分に回避することができるようにする。【解決手段】ＣＣＤカメラ支持体１０１に設けられたＣＣＤカメラ１０２により検知した液晶表示装置５及びＬＥＤランプ２９ａ〜２９ｃからの光に基づいて、現在の演出パターンが光過敏性発作を引き起こす条件を満たすか否かを判断し、光過敏性発作を引き起こす条件を満たすと判断した場合に、次回以降にこの演出パターンが実行された際に、この演出パターンが光過敏性発作を引き起こす条件から外れるように、液晶表示装置５及びＬＥＤランプ２９ａ〜２９ｃの制御を変更する。【選択図】図１
2008000259.tif 000002
【特許請求の範囲】
【請求項１】
筐体と、
該筐体の前面側に設けられた表示装置及び電飾装置と、
前記筐体内部に配置され、前記表示装置に表示される映像及び前記電飾装置による点灯パターンを制御する制御部と、
前記筐体に着脱可能に設けられ、前記表示装置及び前記電飾装置からの光を検知するセンサを備えたセンサ支持体と、
前記センサが検知した前記表示装置及び前記電飾装置からの光に基づいて、前記映像及び前記点灯パターンが光過敏性発作を引き起こす条件を満たすか否かを判断する判断部と、
前記判断部が前記光過敏性発作を引き起こす条件を満たすと判断した場合に、前記映像及び前記点灯パターンが前記光過敏性発作を引き起こす条件から外れるように前記制御部による制御を変更させる制御変更部と、
を有することを特徴とする遊技機。
【請求項２】
前記判断部は、前記映像及び前記点灯パターンのコントラスト及び点滅速度、前記映像の表示色及び前記点灯パターンの点灯色に基づいて判断を行うことを特徴とする請求項１に記載の遊技機。
【発明の詳細な説明】
【技術分野】
【０００１】
本発明は、光を発する演出を行う遊技機に関する。
【背景技術】
【０００２】
いわゆるパチスロ機と呼ばれる遊技機には、遊技の興趣を高める演出を行う手段として、映像を表示する表示装置や点灯・点滅等する電飾装置が備えられている。
【０００３】
一方、近年、テレビ等の媒体によって、人の視覚が人工的な強い光刺激に晒されるようになり、このような強い光刺激を原因として起こる光過敏性発作が問題となっている。
【０００４】
そこで、特許文献１には、光過敏性発作の可能性のある画像パターンをコントラストの強さおよびピーク値を有する周波数帯の値から自動的に検出することで、視聴者が光過敏性発作を起こす危険性を予め回避することが可能な映像検査装置が開示されている。
【０００５】
【特許文献１】特開平１１−２５２５９２号公報
【発明の開示】
【発明が解決しようとする課題】
【０００６】
しかしながら、表示装置と電飾装置による複合的な演出が行われる遊技機においては、特許文献１のように、映像から生じる光過敏性発作の危険性を考慮するだけでなく、電飾装置からの光による光過敏性発作の危険性についても考慮に入れなければ、光過敏性発作の危険性を十分に回避することができない。
【０００７】
本発明の目的は、光過敏性発作の危険性を十分に回避することが可能な遊技機を提供することである。
【課題を解決するための手段及び効果】
【０００８】
本発明の遊技機は、筐体と、該筐体の前面側に設けられた表示装置及び電飾装置と、前記筐体内部に配置され、前記表示装置に表示される映像及び前記電飾装置による点灯パターンを制御する制御部と、前記筐体に着脱可能に設けられ、前記表示装置及び前記電飾装置からの光を検知するセンサを備えたセンサ支持体と、前記センサが検知した前記表示装置及び前記電飾装置からの光に基づいて、前記映像及び前記点灯パターンが光過敏性発作を引き起こす条件を満たすか否かを判断する判断部と、前記判断部が前記光過敏性発作を引き起こす条件を満たすと判断した場合に、前記映像及び前記点灯パターンが前記光過敏性発作を引き起こす条件から外れるように前記制御部による制御を変更させる制御変更部と、を有することを特徴とする。
【０００９】
上記の構成によれば、センサが検知した表示装置及び電飾装置からの光に基づいて、映像及び点灯パターンによる光過敏性発作の危険性が総合的に判断され、遊技者が光過敏性発作を引き起こさないような映像及び点灯パターンになるように、制御部による制御が変更されるから、表示装置と電飾装置による複合的な演出が行われる遊技機において、光過敏性発作の危険性を十分に回避することができる。
【００１０】
また、本発明の遊技機において、前記判断部は、前記映像及び前記点灯パターンのコントラスト及び点滅速度、前記映像の表示色及び前記点灯パターンの点灯色に基づいて判断を行ってよい。上記の構成によれば、映像及び点灯パターンのコントラスト及び点滅速度、映像の表示色及び点灯パターンの点灯色に基づいて、光過敏性発作の危険性を判断するから、光過敏性発作の危険性を好適に低減させることができる。
【発明を実施するための最良の形態】
【００１１】
本発明の実施の形態を図１ないし図７に基づいて以下に説明する。
【００１２】
本実施の形態にかかる遊技機は、図１に示すように、所謂『パチスロ機』であり、複数の図柄の変動表示を停止して表示される図柄に基づいて特定の入賞態様が成立するように、遊技者の操作により変動表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１３】
（遊技機１の機械的構成）
図１は、遊技機１の外観を示す斜視図である。遊技機１の全体を形成している筐体であるキャビネット２の正面には、表示装置としての液晶表示装置５が設置されている。液晶表示装置５は、後述するが、液晶表示装置５の背面側に配置された３個のリール３Ｌ・３Ｃ・３Ｒの複数の図柄が視認可能に構成されており、キャラクタ等による演出画像等の映像を表示することが可能となっている。尚、本実施の形態においては、液晶表示装置５が、リール３Ｌ・３Ｃ・３Ｒの前面に設けられている場合について説明するが、本発明において、液晶表示装置５が設けられる位置は、特に限定されるものではない。
【００１４】
液晶表示装置５の背面側には、３個のリール３Ｌ・３Ｃ・３Ｒが設けられている。３個のリール３Ｌ・３Ｃ・３Ｒは、それぞれその外周面に複数の図柄からなる図柄列が記されている。図柄列は、「００」〜「２０」のコードナンバーが付された複数種類の図柄からなっている。具体的には、「赤７」、「青７」、「チェリー」、「ベル」、「スイカ」及び「Ｒｅｐｌａｙ」の図柄からなっている。各リールは、定速回転（例えば８０回転／分）で回転する。上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００１５】
液晶表示装置５は、図２に示すように、絵柄等が形成されていない領域である表示窓５１ａと、絵柄等が形成されている領域である絵柄形成領域５１ｂとを備えた正面パネル５１を有している。液晶表示装置５に表示された演出画像６０等は、キャビネット２の正面から液晶表示装置５の表示窓５１ａを介して、視認できるようになっている。また、リール３Ｌ・３Ｃ・３Ｒの各図柄は、キャビネット２の正面から液晶表示装置５の表示窓５１ａを介して、リール３Ｌ・３Ｃ・３Ｒの図柄が縦方向に３つずつ、合計９つの図柄が視認できるようになっている。また、視認可能な９つの図柄の停止位置に対応して、５本の入賞ラインが設定されている。即ち、上下方向に３つ並ぶ図柄を水平に横切るトップライン８ｂ、センターライン８ｃ及びボトムライン８ｄ、斜め方向に横切るクロスダウンライン８ａ、クロスアップライン８ｅが設けられている。
【００１６】
これらの入賞ラインは、後述の１−ＢＥＴボタン１１、最大ＢＥＴボタン１２を操作すること、或いはメダル投入口２２にメダルを投入することにより、１枚賭け時は１本（センターライン８ｃのみ）、２枚賭け時（１−ＢＥＴボタン１１を２回操作（押圧）又は、メダルを２枚投入）は３本（センターライン８ｃに加え、センターライン８ｂ、ボトムライン８ｄ）、最大枚数（本実施例では３枚）賭け時は５本（２枚賭け時の３本に加え、クロスダウンライン８ａ、クロスアップライン８ｅ）が有効化される。入賞ライン８ａ〜８ｅは、役の入賞の成否に関わる。具体的には、所定の役に対応する図柄組み合せを構成する図柄が何れかの有効化された入賞ラインに対応する所定の位置に並んで停止表示されることにより、所定の役の入賞が成立することとなる。以下の説明において、有効化された入賞ラインを有効ラインと言う場合がある。
【００１７】
絵柄形成領域５１ｂの背面側には、遊技開始表示ランプ２５、当り表示ランプ（所謂「ＷＩＮランプ」）１７、メダル投入ランプ２４、１−ＢＥＴランプ９ａ、２−ＢＥＴランプ９ｂ及び最大ＢＥＴランプ９ｃの各種ランプと、払出枚数表示部１８、クレジット表示部１９及び役物作動（ボーナス）回数表示部２０の各種表示部とが設けられている。これらランプ及び表示部も、リール３Ｌ・３Ｃ・３Ｒと同様に、キャビネット２の正面から液晶表示装置５を介して、視認できるようになっている。
【００１８】
１−ＢＥＴランプ９ａ、２−ＢＥＴランプ９ｂ及び最大ＢＥＴランプ９ｃは、一のゲーム（単位遊技）を行うために賭けられたメダルの数（以下、ＢＥＴ数ともいう）に応じて点灯する。尚、一のゲームは、全てのリールが停止したとき、又は、メダルの払い出しが行われる場合には、メダルが払い出されたときに終了する。
【００１９】
ＷＩＮランプ１７は、ＢＢ又はＲＢに内部当籤した場合に所定確率で点灯し、また、ＢＢ又はＲＢの入賞が成立した場合にも点灯する。尚、内部当籤とは、入賞成立が可能な役を後述のＣＰＵ３１により抽籤することであり、ＣＰＵ３１により行われる抽籤を内部抽籤という。また、内部当籤した入賞可能な役を内部当籤役という。メダル投入ランプ２４は、メダルの投入が受け付け可能であるときに点滅する。遊技開始表示ランプ２５は、入賞ライン８ａ〜８ｅの少なくとも１本が有効化されたときに点灯する。
【００２０】
払出枚数表示部１８は、入賞成立時のメダルの払出枚数を表示するものであり、クレジット表示部１９は、貯留されているメダルの枚数を表示するものであり、ボーナス回数表示部２０は、ＲＢゲーム可能回数及びＲＢゲーム入賞可能回数等を表示する。これらの表示部は、７セグメント表示器からなるものである。
【００２１】
図１に戻って、液晶表示装置５の下方には、水平面を有する台座部１０が形成されており、台座部１０の右側には、メダル投入口２２が設けられ、台座部１０の左側には、１−ＢＥＴボタン１１及び最大ＢＥＴボタン１２が設けられている。１−ＢＥＴボタン１１は、１回の押し操作により、クレジットされているメダルのうちの１枚をゲームへの賭け枚数とし、２回の押し操作により、クレジットされているメダルのうちの２枚をゲームへの賭け枚数とする。最大ＢＥＴボタン１２は、１回のゲームに賭けることが可能な最大枚数（本実施例では、３枚）をゲームへの賭け枚数とする。このＢＥＴボタン１１・１２を操作することで、上述の入賞ライン８ａ〜８ｅが有効化されるようになっている。
【００２２】
台座部１０の前面部の左寄りには、遊技者が遊技で獲得したメダルのクレジット／払い出しを押し操作により切り替える貯留メダル精算ボタン１４（以下、Ｃ／Ｐボタン１４と言う）が設けられている。このＣ／Ｐボタン１４の切り替えにより「払い出し」が選択された場合には、正面下部のメダル払出口１５からメダルが払い出され、払い出されたメダルはメダル受部１６に溜められる。一方、「クレジット」が選択された場合には、遊技機１が備えるメモリ（例えば、後述するＲＡＭ３３等）にメダル数がクレジットとして記憶される。
【００２３】
Ｃ／Ｐボタン１４の右側には、遊技者の操作によりリール３Ｌ・３Ｃ・３Ｒを回転させるためのスタートレバー６が所定の角度範囲で回動自在に取り付けられている。台座部１０の前面部中央には、３個のリール３Ｌ・３Ｒ・３Ｃの回転をそれぞれ停止させるための３個の停止ボタン７Ｌ・７Ｃ・７Ｒが設けられている。
【００２４】
キャビネット２の上方の左右には、スピーカ２１Ｌ・２１Ｒが設けられている。これら２台のスピーカ２１Ｌ・２１Ｒの間には、入賞図柄の組み合わせ及びメダルの配当枚数等を表示する配当表パネル２３が設けられている。また、スピーカ２１Ｌ・２１Ｒや配当表パネル２３の上方には、電飾装置としてのＬＥＤランプ２９ａが設けられているとともに、キャビネット２の左右には、電飾装置としてのＬＥＤランプ２９ｂ，２９ｃが設けられている。ＬＥＤランプ２９ａの点灯色は白色であり、ＬＥＤランプ２９ｂの点灯色は赤色であり、ＬＥＤランプ２９ｃの点灯色は青色である。これらＬＥＤランプ２９ａ〜２９ｃは、後述の遊技状態に応じた演出等に伴い、所定の点灯パターンで点滅等されるようになっている。
【００２５】
また、配当表パネル２３の上端中央には、センサ支持体としてのＣＣＤカメラ支持体１０１が着脱可能な取付穴１０３が設けられている。ＣＣＤカメラ支持体１０１の先端には、センサとしてのＣＣＤカメラ１０２が設けられており、このＣＣＤカメラ１０２は、ＣＣＤカメラ支持体１０１が取付穴１０３に挿着された際に、遊技者の視点と略同じ位置に位置されてキャビネット２の方を向き、液晶表示装置５及びＬＥＤランプ２９ａ〜２９ｃからの光を検知する。なお、ＣＣＤカメラ支持体１０１は、通常、遊技の邪魔にならないように、取付穴１０３から外されており、後述するように、複数の演出パターンの各々が光過敏性発作を引き起こす条件を満たすか否かを測定する際に取付穴１０３に挿着される。
【００２６】
（遊技機１の電気的構成）
上記のように構成された遊技機１は、図３に示すように、主基板に設けられた主制御回路７１と、副基板に設けられた制御部としての副制御回路７２とで動作が制御されている。図３に示す主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００２７】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００２８】
尚、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００２９】
主制御回路７１のＲＡＭ３３には、種々の情報が一時的に格納される。例えば、遊技状態、一の遊技におけるメダル投入数、一の遊技におけるメダル払出数等が格納される。
【００３０】
一方、主制御回路７１のＲＯＭ３２には、スタートレバー６を操作（スタート操作）する毎に行われる乱数サンプリングの判定に用いられる確率抽籤テーブルや停止ボタンの操作に応じてリール３Ｌ・３Ｃ・３Ｒの停止態様を決定するための停止テーブル群等の各種のデータテーブルと、副制御回路７２へ送信するための各種制御指令（コマンド）等が格納されている。また、ＲＯＭ３２には、後述のメインルーチン等の各処理ルーチンを実行するプログラム等が格納されている。
【００３１】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、ＷＩＮランプ１７、メダル投入ランプ２４、遊技開始表示ランプ２５）と、各種表示部（払出枚数表示部１８、クレジット表示部１９、ボーナス回数表示部２０）と、メダルを収納し、ホッパー駆動回路４１の命令により所定枚数のメダルを払出すホッパー（払出しのための駆動部を含む）４０と、リール３Ｌ・３Ｃ・３Ｒを回転駆動するステッピングモータ４９Ｌ・４９Ｃ・４９Ｒとがある。
【００３２】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００３３】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、最大ＢＥＴスイッチ１２Ｓ、Ｃ／Ｐスイッチ１４Ｓ、投入メダルセンサ２２Ｓ、リール停止信号回路４６、リール位置検出回路４７、払出完了信号回路４４がある。これらもＩ／Ｏポート３８を介してＣＰＵ３１に接続されている。
【００３４】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じてリール停止信号を発生する。リール位置検出回路４７は、リール回転センサからのパルス信号を受けて各リール３Ｌ・３Ｃ・３Ｒの位置を検出するための信号をＣＰＵ３１へ供給する。払出完了信号回路４４は、メダル検出部４０Ｓの計数値（ホッパー４０から払出されたメダルの枚数）が指定された枚数データに達した時、メダル払出完了を検知するための信号を発生する。
【００３５】
（遊技機１の電気的構成：副制御回路７２）
上記の主制御回路７１は、副制御回路７２にコマンドや情報等を一方向に出力可能に接続されている。副制御回路７２は、図４に示すように、主制御回路７１からの制御指令（コマンド）に基づいて液晶表示装置５の表示制御、スピーカ２１Ｌ・２１Ｒからの音の出力制御、及び、ＬＥＤランプ２９ａ〜２９ｃからの光の出力制御を行う。また、副制御回路７２は、後述するように、ＣＣＤカメラ１０２が検知した液晶表示装置５及びＬＥＤランプ２９ａ〜２９ｃからの光に基づいて、液晶表示装置５の表示制御及びＬＥＤランプ２９ａ〜２９ｃからの光の出力制御を変更する。
【００３６】
副制御回路７２は、主制御回路７１を構成する主基板とは別の副基板上に構成され、マイクロコンピュータ（以下『サブマイクロコンピュータ』という）７３を主たる構成要素とし、液晶表示装置５の画像（映像）を制御する画像制御回路８１、スピーカ２１Ｌ・２１Ｒから出力させる音声を制御する音源ＩＣ７８、及び増幅器としてのパワーアンプ７９、ＬＥＤランプ２９ａ〜２９ｃを駆動するＬＥＤ駆動回路７７、ＣＣＤカメラ１０２が検知した光の輝度・色度を測定する輝度・色度測定回路１０４を備えている。
【００３７】
サブマイクロコンピュータ７３は、主制御回路７１から送信された制御指令に従って制御動作を行うサブＣＰＵ７４と、副基板側記憶手段としてのプログラムＲＯＭ７５と、ワークＲＡＭ７６とを含む。プログラムＲＯＭ７５は、サブＣＰＵ７４で実行する図示しない演出処理ルーチンや後述する危険度測定処理ルーチン等の制御プログラムや、後述する危険度管理テーブル等を格納している。また、ワークＲＡＭ７６は、上記制御プログラムをサブＣＰＵ７４で実行するときの一時記憶手段として構成される。また、ワークＲＡＭ７６には、主制御回路７１から受け取った内部当籤役や、内部当籤役に対応する停止テーブルの種類等の各種のデータが記憶されるとともに、後述する制御変更対象の演出コード及びその制御変更内容が記憶される。
【００３８】
サブＣＰＵ７４は、ＣＣＤカメラ１０２が検知し、輝度・色度測定回路１０４で測定した光の輝度・色度に基づいて、液晶表示装置５が表示する映像及びＬＥＤランプ２９ａ〜２９ｃの点灯パターンを構成要素とする後述する演出パターンが、光過敏性発作を引き起こす条件を満たすか否かを判断する。具体的には、危険度管理テーブルを参照し、ＣＣＤカメラ１０２が検知した光の全体色、コントラスト、点滅速度から、その演出パターンによって遊技者が光過敏性発作を引き起こす危険度の高低を判断する。ここで、全体色とは、白、赤、青の３色のＬＥＤランプ２９ａ〜２９ｃの点灯状態と、液晶表示装置５に表示される映像の色彩とにより、全体的に基調となっている色を意味する。なお、一般に、光過敏性発作を引き起こす危険度は、点滅速度が１／３秒に１回を越える速度であったり、赤色が基調であったり、コントラストが高かったりすると、高くなる。
【００３９】
ここで、液晶表示装置５、スピーカ２１Ｌ・２１Ｒ、及び、ＬＥＤランプ２９ａ〜２９ｃにより行われる複合的な演出として、複数の演出パターンが存在し、各演出パターンには固有の演出コードが付されている。例えば、液晶表示装置５に演出画像６０が表示され、スピーカ２１Ｌ・２１Ｒから「Ａ」という音声が出音され、且つ、赤色のＬＥＤランプ２９ｂが点滅される演出パターンの演出コードは「００２４」である。
【００４０】
そして、サブＣＰＵ７４が、ある演出コードの演出パターンにおいて、遊技者が光過敏性発作を引き起こす危険度が高いと判断した場合に、その演出コードをワークＲＡＭ７６に記憶しておき、その演出コードの演出パターンが次回以降に行われる際に、遊技者が光過敏性発作を引き起こす危険度が低くなるように、画像制御回路８１及びＬＥＤ駆動回路７７によるその演出コードの演出パターンの制御を変更させる。具体的には、サブＣＰＵ７４が、上記した演出コード「００２４」の演出パターンにおいて、遊技者が光過敏性発作を引き起こす危険度が高いと判断した場合には、次回以降に演出コード「００２４」の演出パターンが行われる際に、ＬＥＤ駆動回路７７による制御（ＬＥＤランプ２９ｂを点滅させる制御）を、ＬＥＤランプ２９ｂが点滅しない制御に変更させたり、液晶表示装置５及び／又はＬＥＤランプ２９ａ〜２９ｃの輝度を低下させるように、画像制御回路８１及び／又はＬＥＤ駆動回路７７による制御を変更させたりする。このような制御の変更内容は、演出コードとともにワークＲＡＭ７６に記憶される。
【００４１】
このように、ＣＣＤカメラ１０２が検知した液晶表示装置５及びＬＥＤランプ２９ａ〜２９ｃからの光に基づいて、映像及び点灯パターンを構成要素とする演出パターンによる光過敏性発作の危険性が総合的に判断され、遊技者が光過敏性発作を引き起こさないような演出パターンになるように、画像制御回路８１及び／又はＬＥＤ駆動回路７７による制御が変更されるから、液晶表示装置５とＬＥＤランプ２９ａ〜２９ｃによる複合的な演出が行われる遊技機１において、光過敏性発作の危険性を十分に回避することができる。
【００４２】
また、映像及び点灯パターンを構成要素とする演出パターンのコントラスト及び点滅速度、映像の表示色及び点灯パターンの点灯色からなる演出パターンの全体色に基づいて、光過敏性発作の危険性を判断するから、光過敏性発作の危険性を好適に低減させることができる。
【００４３】
尚、副制御回路７２は、クロックパルス発生回路、分周器、乱数発生器及びサンプリング回路を備えていないが、サブＣＰＵ７４の動作プログラム上で乱数サンプリングを実行するように構成されている。
【００４４】
画像制御回路８１は、画像制御ＩＣ８２、画像制御ワークＲＡＭ８３、画像ＲＯＭ８６、及びビデオＲＡＭ８７で構成される。画像制御ＩＣ８２は、サブマイクロコンピュータ７３で設定されたパラメータに基づき、画像制御プログラムに従って液晶表示装置５での表示内容を決定する。画像制御ワークＲＡＭ８３は、画像制御プログラムを画像制御ＩＣ８２で実行するときの一時記憶手段（バッファ）として構成される。画像ＲＯＭ８６は、演出画像６０等を形成するための演出画像データ等を格納する。ビデオＲＡＭ８７は、画像制御ＩＣ８２で画像を形成するときの一時記憶手段として構成される。
【００４５】
（遊技状態）
以上のように構成された遊技機１は、『一般遊技状態』、『内部当籤状態』、『ＲＢ遊技状態』及び『ＢＢ一般遊技状態』からなる４種類の遊技状態を出現させる。これら「４種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００４６】
『一般遊技状態』は、基本的に、所謂「出球率」（遊技に賭けられた単位遊技価値に対して遊技者に付与される遊技価値）の期待値が「１」よりも小さい遊技状態であり、他の遊技状態と比べて遊技者にとって最も不利な遊技状態である。
【００４７】
『内部当籤状態』は、『一般遊技状態』においてＢＢ又はＲＢに内部当籤し、ＢＢ又はＲＢに入賞していない場合に発生し、基本的に、一又は複数のゲームにわたり、ＢＢ又はＲＢに対応する図柄組み合わせが入賞ライン上に沿って並ぶことが許容された遊技状態である。『一般遊技状態』においてＢＢ、ＲＢに内部当籤すると、その内部当籤役が持越役としてセットされ、以降のゲームに持ち越されるようになる。ここで、内部当籤役の持ち越しとは、次以降のゲームにおいてＢＢ、ＲＢに内部当籤しなくても、ＢＢ、ＲＢに入賞できるようにすることである。具体的には、内部当籤状態では、ＢＢ、ＲＢに内部当籤することはないが、内部当籤役が『なし（ハズレ）』となった場合にＢＢ、ＲＢに入賞できるようになっている。
【００４８】
『ＢＢ一般遊技状態』は、『一般遊技状態』又は『内部当籤状態』において、ＢＢに内部当籤し、ＢＢに入賞した場合に発生する。ＢＢの入賞は、『一般遊技状態』又は『内部当籤状態』において「赤７−赤７−赤７」又は「青７−青７−青７」が有効ラインに沿って並ぶことにより成立する。『ＢＢ一般遊技状態』は、３０回の小役ゲーム又は３回のＲＢ（レギュラーボーナス）を消化すると終了する。なお、『ＢＢ一般遊技状態』は、所定枚数のメダルの払い出しが完了すれば終了するようにしてもよい。
【００４９】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』、『内部当籤状態』又は『ＢＢ一般遊技状態』においてＲＢ（レギュラーボーナス）に入賞した場合に発生する。ＲＢの入賞は、『一般遊技状態』、『内部当籤状態』又は『ＢＢ一般遊技状態』において「赤７−赤７−青７」が有効ラインに沿って並ぶことにより成立する。なお、『ＢＢ一般遊技状態』においてＲＢの入賞が成立することを、一般に『ＪＡＣＩＮ』と称し、その後のゲームを『ＪＡＣゲーム』と称す。なお、各遊技状態間の移行は、ボーナス図柄の組み合せが入賞ライン上に表示されたとき等により移行する。
【００５０】
（図柄組み合わせと払い出し枚数）
次に、遊技状態と入賞成立を示す図柄組み合わせとメダルの払い出し枚数との関係を説明する。一般遊技状態及び内部当籤状態においては、『ＢＢ』、『ＲＢ』と『再遊技（リプレイ）』と『スイカの小役』と『ベルの小役』と『チェリーの小役』とに入賞する可能性がある。『ＢＢ』は、「青７−青７−青７」又は「赤７−赤７−赤７」が有効ラインに沿って並ぶことにより成立する。『ＲＢ』は、「赤７−赤７−青７」が有効ラインに沿って並ぶことにより成立する。このときのメダルの払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。また、スイカの小役、ベルの小役、チェリーの小役の場合、それぞれ６枚、１０枚、６枚のメダルが払い出される。
【００５１】
ＢＢ一般遊技状態では、ＲＢ、再遊技（リプレイ）、スイカの小役、ベルの小役、チェリーの小役に入賞する可能性がある。ＢＢ一般遊技状態では、ＢＢに入賞する場合はない。また、ＲＢ遊技状態においては、スイカの小役、ベルの小役、チェリーの小役に入賞する可能性がある。スイカの小役、ベルの小役、チェリーの小役の場合、それぞれ６枚、１０枚、６枚のメダルが払い出される。また、ＲＢ遊技状態においては、『ＢＢ』、『ＲＢ』及び『再遊技（リプレイ）』に入賞する場合はない。
【００５２】
（危険度管理テーブル）
次に、図５を参照して、光過敏性発作の危険度を判断する際に使用する危険度管理テーブルを説明する。この危険度管理テーブルは、副制御回路７２のプログラムＲＯＭ７５に格納されており、ＣＣＤカメラ１０２が検知し、輝度・色度測定回路１０４で測定した光を、全体色、コントラスト、点滅速度の３つの観点で区別することにより、光過敏性発作の危険度を判断付けている。例えば、全体色が白で、点滅速度が速ければ、コントラストの高低に関わらず、危険度は「高」である。ここで、点滅速度が「速い」とは、１／３秒に１回以上の点滅が行われる速度であることを意味している。
【００５３】
また、例えば、全体色が赤で、コントラストが高ければ、点滅速度の速さに関わらず、危険度は「高」である。コントラストは、遊技機１が設置されている周囲の照度に左右される。つまり、ＬＥＤランプ２９ａ〜２９ｃ及び液晶表示装置５から生じる輝度に変化がなくても、遊技機１が設置されている周囲の照度が低ければ、つまり、遊技機１の周りが暗ければ、コントラストは高くなる一方、遊技機１が設置されている周囲の照度が高ければ、つまり、遊技機１の周りが明るければ、コントラストは低くなる。コントラストの高低は所定の閾値を基準に判断される。
【００５４】
（遊技機１の動作：主制御回路７１）
上記の構成において、図６に示すメインルーチンを参照して、遊技機１の主制御回路７１のＣＰＵ３１の制御動作について説明する。
【００５５】
先ず、電源が投入されると、遊技機１は、主制御回路７１において図６のメインルーチンを実行することにより遊技を実施可能な状態になると共に、副制御回路７２において図示しない演出処理ルーチンを実行することにより液晶表示装置５において演出画像６０等の表示等を実施したり、スピーカ２１Ｌ・２１Ｒからの音の出力を実施したり、ＬＥＤランプ２９ａ〜２９ｃによる光の出力を実施したり、これらを実施可能な状態になる。
【００５６】
（主制御回路７１の動作:メインルーチン）
主制御回路７１によりメインルーチンが実行されると、図６に示すように、初めに、ＣＰＵ３１は、遊技開始時の初期化を行う（Ｓ１）。具体的には、ＲＡＭ３３の記憶内容の初期化、通信データの初期化等を行う。続いてゲーム終了時のＲＡＭ３３の所定の記憶内容を消去する（Ｓ２）。具体的には、前回のゲームに使用されたＲＡＭ３３の書き込み可能エリアのデータの消去、ＲＡＭ３３の書き込みエリアへの次回のゲームに必要なパラメータの書き込み、次回のゲームのシーケンスプログラムの開始アドレスの指定等を行う。次に、ＣＰＵ３１は、投入メダルセンサ２２ＳやＢＥＴスイッチ１１Ｓ・１２Ｓからの入力があるまで待機状態となる（Ｓ３）。この後、メダル投入信号を副制御回路７２に送信すると共に、スタートレバー６の操作によりスタートスイッチ６Ｓがオンされたか否かを判定する（Ｓ４）。
【００５７】
スタートスイッチ６Ｓがオンされてない場合には（Ｓ４：ＮＯ）、Ｓ４を繰り返すことにより入力待ちの状態となり、スタートスイッチ６Ｓがオンされた場合には（Ｓ４：ＹＥＳ）、リール回転処理を行う（Ｓ５）。具体的には、リール３Ｌ・３Ｃ・３Ｒを回転させ、リール回転信号を副制御回路７２に送信する。その後、抽籤用の乱数を抽出する（Ｓ６）。そして、遊技状態監視処理を実行することによって、今回のゲームにおける遊技状態を確認し、セットする（Ｓ７）。即ち、今回のゲームの遊技状態を一般遊技状態、ＢＢ一般遊技状態、ＲＢ遊技状態、及び、内部当籤状態の何れかにセットする。さらに、確率抽籤処理を行い（Ｓ８）、内部当籤役を決定する。決定した内部当籤役は副制御回路７２に送信される。
【００５８】
続いて、停止テーブル選択処理を実行する（Ｓ９）。具体的には、内部当籤役の種類を用いて特定の停止テーブル群を選択する。かかる停止テーブル群は、後のリール回転停止処理において、リール３Ｌ・３Ｃ・３Ｒを停止させる際に使用される。ここで、停止テーブル信号を副制御回路７２へ送信する。次に、リール回転停止処理を実行する（Ｓ１０）。即ち、何れかの停止ボタン７Ｌ・７Ｃ・７Ｒが押圧操作されたタイミングや自動停止タイマが「０」になったタイミングで滑りコマ数を決定するための滑りコマ数決定処理を行う。具体的には、決定（選択）された停止テーブル、決定された内部当籤役等に基づいて滑りコマ数を決定する。続いて、滑りコマ数分、停止操作された停止ボタンに対応するリールを回転させてから停止させる。尚、停止ボタン７Ｌ・７Ｃ・７Ｒが操作され、対応するリールが停止する毎にリール停止信号（左、中、右）を副制御回路７２に送信する。また、全てのリール３Ｌ・３Ｃ・３Ｒが停止したときに、全リール停止信号を副制御回路７２に送信する。
【００５９】
次に、ＣＰＵ３１は入賞判定を行う（Ｓ１１）。入賞判定とは、センターライン８ｃにおけるリール３Ｌ・３Ｃ・３Ｒの各図柄の停止態様に基づいて入賞役（入賞が成立した役）を識別することである。そして、入賞信号を副制御回路７２に送信する。この後、獲得したメダルのクレジット又は払出しを行う（Ｓ１２）。具体的には、入賞成立によりメダルを獲得する場合は、払出枚数表示部１８にメダルの獲得枚数を表示する。そして、遊技者によりＣ／Ｐボタン１４が切替えられることにより、獲得したメダルを遊技機１内にクレジットするか、メダル払出口１５からメダルを払い出すかを決定する。尚、クレジットしたメダルは、次ゲームでＢＥＴボタン１１・１２を押すことによりメダルを賭けることができる。
【００６０】
次に、現在の遊技状態が『ＢＢ一般遊技状態』又は『ＲＢ遊技状態』であるか否かを判定する（Ｓ１３）。遊技状態が『ＢＢ一般遊技状態』又は『ＲＢ遊技状態』でない場合には（Ｓ１３：ＮＯ）、続いて、遊技状態が『一般遊技状態』であるか否かを判定する（Ｓ１４）。『一般遊技状態』である場合（Ｓ１４：ＹＥＳ）、Ｓ２に戻る。『一般遊技状態』でない場合（Ｓ１４：ＮＯ）、即ち、『内部当籤状態』である場合、次に、現在のゲームでＢＢ，ＲＢに入賞したか否かを判定する（Ｓ１５）。
【００６１】
ＢＢ、ＲＢに入賞していない場合（Ｓ１５：ＮＯ）、Ｓ２に戻る。ＢＢ、ＲＢに入賞した場合（Ｓ１５：ＹＥＳ）、持越役格納領域をクリアし、持越役の持越しを終了する（Ｓ１６）。そして、ＢＢ作動中フラグ又はＲＢ作動中フラグをオンにし（Ｓ１７）、Ｓ２に戻る。なお、ＢＢ作動中フラグ、ＲＢ作動中フラグは、遊技状態がＢＢ一般遊技状態、ＲＢ遊技状態であるかを判定するためのフラグである。
【００６２】
Ｓ１３において、遊技状態が『ＢＢ一般遊技状態』又は『ＲＢ遊技状態』である場合には（Ｓ１３：ＹＥＳ）、ボーナス（ＢＢ，ＲＢ）の『遊技数チェック処理』を行う（Ｓ１８）。この『遊技数チェック処理』では、ＲＢ遊技状態が発生した回数、ＢＢ一般遊技状態のゲーム回数、ＲＢ遊技状態における入賞回数、及びＲＢ遊技状態におけるゲーム回数をチェックすると共に、ＢＢ一般遊技状態及びＲＢ遊技状態間における遊技状態の移行（セット）を行う。
【００６３】
次に、ボーナスの終了時であるか否かを判定する（Ｓ１９）。具体的には、ＢＢの入賞が成立した後では、３回目のＲＢ遊技状態において入賞回数が８回又はゲーム回数が１２回であるか、又はＢＢ一般遊技状態においてゲーム回数が３０回であるか否かを判別する。また、「赤７−赤７−青７」が有効ラインに沿って並ぶことによりＲＢの入賞が成立した後では、ＲＢ遊技状態において入賞回数が８回又はゲーム回数が１２回であるか否かを判別する。この結果、ボーナスの終了時でないと判定した場合には（Ｓ１９：ＮＯ）、Ｓ２に戻る。一方、ボーナスの終了時であると判定した場合には（Ｓ１９：ＹＥＳ）、ボーナス終了信号を副制御回路７２に出力し（Ｓ２０）、ＢＢ作動中フラグ又はＲＢ作動中フラグをオフにし（Ｓ２１）、Ｓ２に戻る。
【００６４】
（遊技機１の動作：副制御回路７２）
上記の主制御回路７１におけるメインルーチンにより各種の処理が実行されると、処理に応じた結果や内容がコマンドやデータとして副制御回路７２に入力される。副制御回路７２においては、図示しない演出処理ルーチン等をそれぞれ独立して実行している。そして、演出処理ルーチンの実行によりコマンドに基づいた演出画像６０等の映像を液晶表示装置５に表示する。例えば、メダル投入を示すコマンドが入力された場合には、スタートレバー６の操作を促す演出画像等が液晶表示装置５に表示される。また、液晶表示装置５からの演出にともなって、或いは独立して、ＬＥＤランプ２９ａ〜２９ｃからの光の出力による演出、スピーカ２１Ｌ・２１Ｒからの音の出力による演出を行う。
【００６５】
（副制御回路７２の動作:危険度測定処理ルーチン）
また、副制御回路７２においては、ＣＣＤカメラ支持体１０１が取付穴１０３に挿着されると、図７の危険度測定処理ルーチンを実行する。
【００６６】
即ち、副制御回路７２により危険度測定処理ルーチンが実行されると、図７に示すように、初めに、サブＣＰＵ７４は、ＣＣＤカメラ支持体１０１が取付穴１０３に挿着されているか否かを判定する（Ａ１）。ＣＣＤカメラ支持体１０１が取付穴１０３に挿着されていないと判定した場合には（Ａ１：ＮＯ）、Ａ１を繰り返すことにより、ＣＣＤカメラ支持体１０１の挿着待ちの状態となる。一方、ＣＣＤカメラ支持体１０１が取付穴１０３に挿着されていると判定した場合には（Ａ１：ＹＥＳ）、ＣＣＤカメラ１０２を駆動させて、キャビネット２の前面側の輝度・色度を測定する（Ａ２）。
【００６７】
続いて、全体色が赤か否かを判定する（Ａ３）。全体色が赤であると判定した場合（Ａ３：ＹＥＳ）、コントラストが高いか否かを判定する（Ａ４）。コントラストが高いと判定した場合（Ａ４：ＹＥＳ）、点滅が行われているか否かを判定し（Ａ５）、点滅が行われていないと判定した場合（Ａ５：ＮＯ）、Ａ１に戻る。一方、点滅が行われていると判定した場合（Ａ５：ＹＥＳ）、現在の演出パターンにおいて点滅を停止するように制御を変更する（Ａ６）。即ち、制御変更対象である現在の演出パターンの演出コードを制御の変更内容（点滅の停止）とともにワークＲＡＭ７６に記憶しておき、次回以降にこの演出コードの演出パターンが実行される際に、点滅を停止させるように変更された制御をＬＥＤ駆動回路７７に行わせて、遊技者が光過敏性発作を引き起こす危険度を低くする。その後、Ａ１に戻る。
【００６８】
Ａ３において、全体色が赤でないと判定した場合（Ａ３：ＮＯ）、或いは、Ａ４において、コントラストが高くないと判定した場合（Ａ４：ＮＯ）、点滅速度が速いか否かを判定する（Ａ７）。点滅速度が速くない、つまり、点滅速度が遅いか点滅していないと判定した場合（Ａ７：ＮＯ）、Ａ１に戻る。一方、点滅速度が速いと判定した場合（Ａ７：ＹＥＳ）、現在の演出パターンにおいて点滅速度を減速するように制御を変更する（Ａ８）。即ち、制御変更対象である現在の演出パターンの演出コードを制御の変更内容（点滅速度の減速）とともにワークＲＡＭ７６に記憶しておき、次回以降にこの演出コードの演出パターンが実行される際に、点滅速度を減速させるように変更された制御をＬＥＤ駆動回路７７に行わせて、遊技者が光過敏性発作を引き起こす危険度を低くする。その後、Ａ１に戻る。
【００６９】
このように、ＣＣＤカメラ１０２が検知した液晶表示装置５及びＬＥＤランプ２９ａ〜２９ｃからの光に基づいて、映像及び点灯パターンを構成要素とする演出パターンによる光過敏性発作の危険性が総合的に判断され、遊技者が光過敏性発作を引き起こさないような演出パターンになるように、ＬＥＤ駆動回路７７による制御が変更されるから、液晶表示装置５とＬＥＤランプ２９ａ〜２９ｃによる複合的な演出が行われる遊技機１において、光過敏性発作の危険性を十分に回避することができる。
【００７０】
また、映像及び点灯パターンを構成要素とする演出パターンのコントラスト及び点滅速度、映像の表示色及び点灯パターンの点灯色からなる演出パターンの全体色に基づいて、光過敏性発作の危険性を判断するから、光過敏性発作の危険性を好適に低減させることができる。
【００７１】
（本実施の形態の概要）
以上のように、本実施の形態の遊技機１は、筐体（キャビネット２等）と、筐体の前面側に設けられた表示装置（液晶表示装置５等）及び電飾装置（ＬＥＤランプ２９ａ〜２９ｃ等）と、筐体内部に配置され、表示装置に表示される映像及び電飾装置による点灯パターンを制御する制御部（副制御回路７２、画像制御回路８１、ＬＥＤ駆動回路７７等）と、筐体に着脱可能に設けられ、表示装置及び電飾装置からの光を検知するセンサ（ＣＣＤカメラ１０２等）を備えたセンサ支持体（ＣＣＤカメラ支持体１０１等）と、センサが検知した表示装置及び電飾装置からの光に基づいて、映像及び点灯パターンが光過敏性発作を引き起こす条件を満たすか否かを判断する判断部（サブＣＰＵ７４等）と、判断部が光過敏性発作を引き起こす条件を満たすと判断した場合に、映像及び点灯パターンが光過敏性発作を引き起こす条件から外れるように制御部による制御を変更させる制御変更部（サブＣＰＵ７４等）と、を有する構成にされている。
【００７２】
上記の構成によれば、センサが検知した表示装置及び電飾装置からの光に基づいて、映像及び点灯パターンによる光過敏性発作の危険性が総合的に判断され、遊技者が光過敏性発作を引き起こさないような映像及び点灯パターンになるように、制御部による制御が変更されるから、表示装置と電飾装置による複合的な演出が行われる遊技機１において、光過敏性発作の危険性を十分に回避することができる。
【００７３】
また、本実施の形態の遊技機１において、判断部は、映像及び点灯パターンのコントラスト及び点滅速度、映像の表示色及び点灯パターンの点灯色に基づいて判断を行う構成にされている。上記の構成によれば、映像及び点灯パターンのコントラスト及び点滅速度、映像の表示色及び点灯パターンの点灯色に基づいて、光過敏性発作の危険性を判断するから、光過敏性発作の危険性を好適に低減させることができる。
【００７４】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００７５】
例えば、本実施の形態においては、ＬＥＤ駆動回路７７による制御を変更させて、点滅を停止させるか点滅速度を減速させる構成にされているが、この構成に限定されるものではなく、画像制御回路８１による制御を同時に又は単独で変更させる構成であってもよい。
【００７６】
また、本実施の形態においては、点滅速度が速い場合（図７のＡ７：ＹＥＳ）に、点滅速度を減速させる（図７のＡ８）ように、ＬＥＤ駆動回路７７による制御を変更させる構成にされているが、この構成に限定されるものではなく、点滅を停止させるように制御を変更させる構成であってもよい。
【００７７】
また、上述の実施の形態の遊技機は、以下の構成を上述の実施の形態における構成に加えて、或いは重複して備えていても良い。
【００７８】
即ち、遊技機は、所定の遊技結果が表示された場合に遊技者に遊技価値を付与する遊技価値付与手段と、遊技開始指令信号に基づいて所定の役を内部当籤役として決定する内部当籤役決定手段と、内部当籤役に基づいて変動表示手段に入賞態様を表示させる停止制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に、特定の遊技結果が表示されることを告知表示手段に告知態様を表示させる予告表示制御手段と、遊技結果表示手段の表示制御を行う表示制御手段と、遊技結果表示手段又は変動表示手段の一部又は全部の可変表示を停止させる停止指令信号を出力する遊技者による操作が可能な位置に設けられた表示停止指令手段と、所定の単位遊技で内部当籤役決定手段が内部当籤役として決定した特定の役を次回の単位遊技にも内部当籤役として持ち越す内部当籤役持越手段と、内部当籤役決定手段が内部当籤役として決定した特定の役を蓄積して記憶する特定役蓄積手段と、特定役蓄積手段が蓄積して記憶している特定の役を内部当籤役とする蓄積特定役当籤手段とを少なくとも１つ以上備えていてもよい。
【００７９】
ここで、上記の『遊技結果表示手段』は、まとめると変動表示手段、演出表示手段、告知表示手段等を含んで構成されている。それらが、別体の表示装置であってもよいし、単一の表示装置に設けられた所定の表示部（スプライト、深度の異なる３Ｄオブジェクト）でもよい。また、重なって表示されてもよい。さらには、１又は複数の音、１又は複数の光、１又は複数の色、１又は複数の画像、１又は複数の臭い等、１又は複数の感触（振動、圧力）のうちの何れかの、複数又は全部により遊技者に報知を行うようになっていてもよい。
【００８０】
『遊技価値付与手段』は、遊技価値（コイン）を付与（払出）するプログラム等、有利状態発生手段を含み、賞媒体の払出、磁気カードへの記録、ゲームの得点加算も含む。
【００８１】
『表示制御手段』は、まとめると停止制御手段、演出表示制御手段、告知表示制御手段等を含んで構成されている。単一の基板に設けられていても、別体の複数の基板に設けられてもよいし、停止制御手段は内部当籤役決定手段と同一の基板に設けられてもよい。（別体でもよい。）さらには、演出表示制御手段及び告知表示制御手段は、内部当籤役決定手段と別体の基板に設けられてもよい。（別体でもよい。）
【００８２】
『変動表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でもよい。
【００８３】
『表示停止指令手段』は、演出表示手段、変動表示手段、告知表示手段等のうちの１つ、複数、全ての可変表示を停止させる信号を出力してもよいし、１つ又は複数の表示部に対応して１つ設けられていてもよい（表示部は、図柄表示部等）。或いは、１つの表示部に対応して複数設けられていてもよい（表示部は、図柄表示部等）。
【００８４】
『有利状態発生手段』は、複数の遊技単位の間、継続して遊技者に有利な状態が続くものであれば何でもよい。例えば発生判定、継続判定、途中終了判定、発生、継続、終了等を行うプログラム等である。また、『内部当籤役決定手段』は、内部当籤役抽籤手段、内部当籤役持越手段、特定役蓄積手段、蓄積特定役当籤手段等から構成されている。
【００８５】
尚、本実施の形態において、『遊技機』は、パチンコ、パチスロ機、ビデオスロット等を含む。『遊技結果』は、入賞態様、外れ態様、演出態様、告知態様等を含む。『特定の入賞態様』は、特定の図柄の表示（『３』、『７』等）や特定の図柄の組み合わせの表示（『７７７』『７７６』等）、複数の図柄うちに特定の図柄が含まれている（単チェリー、２連チェリー等）等を含む。
【００８６】
『外れ態様』は、変動表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【００８７】
『予告態様』は、所定の内部当籤役または特定の内部当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の内部当籤役または特定の内部当籤役が決定されていることを遊技者に対して告知する態様や、所定の内部当籤役または特定の内部当籤役が決定されていないことを遊技者に対して告知する態様、また、その演出態様を含む。『大当り確定』、『ボーナス確定』、『外れ確定』、『ベル確定』、『遊技手順ナビゲート機能当籤？』等の文字も含む。
【００８８】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ、ＲＢ等）の説明、有利状態（ＢＢ，ＲＢ等）、確率、所定時点（ボーナス、ＢＢ、ＲＢ、所定操作等）からの経過ゲーム数等を含む。
【００８９】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ，ＬＣＤ、プラズマディスプレイ、７セグメント表示器、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等を含む。それらが複数設けられたもの、それらが組み合わせられたもの等を含む。
【００９０】
『内部当籤役』は、複数の役から内部当籤役決定手段により内部当籤役として決定された１または複数の役を含む。『入賞役』は、内部当籤役に対応する入賞態様が表示された役を含む。『遊技価値』は、賞媒体（コイン、メダル、遊技球）の払出し、遊技結果記憶媒体（磁気カード等への所定の書き込み、リプレイ、得点の加算、有利状態の発生等を含む。『遊技媒体（賞媒体）』は、コイン、メダル、遊技球、貨幣、紙幣、磁気カード等を含む。
【００９１】
また、パチスロ等における役は、次のうちの１または複数を適用してもよい。外れ、所定枚数の賞媒体を払出す小役、内部当籤役決定手段が小役を内部当籤役と決定する確率を１単位遊技（１ゲーム）の間だけ高確率とするシングルボーナス、内部当籤役決定手段が小役を内部当籤役と決定する確率を複数単位遊技の間だけ高確率とするレギュラーボーナス、内部当籤役決定手段がレギュラーボーナスを内部当籤役に決定する確率を複数単位遊技の間だけ高確率とするビッグボーナス、内部当籤役決定手段が決定した内部当籤役に関する情報を遊技者による表示停止指令手段の操作より以前に報知する内部当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【００９２】
例えば、上述の内部当籤役ナビゲート機能は、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターンの６種類等）にしたがって、左、中、右リール停止ボタンを停止操作することで変動表示手段に所定の入賞態様が得られるリール停止ナビゲート機能等を含む。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に変動表示手段に所定の入賞態様が得られるものも含む。遊技者による表示停止指令手段からの停止指令信号の出力から最小移動（又は略最小変動）で図柄を停止させる機能や、遊技媒体の投入無しで１単位遊技の遊技を開始できるリプレイも含む。
【００９３】
また、１回の単位遊技は、例えば次のようなもののうち何れかを適用してもよい。遊技開始指令手段からの遊技開始指令信号の出力から遊技結果の表示まで。スタートレバーの操作から変動表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技メダルが遊技者により投入されたこと、等により遊技開始指令信号を出力するように構成し、ベットボタンの操作または遊技メダルの投入から変動表示手段に遊技結果が表示されるまで。ベットボタンが遊技者により操作されたこと、または遊技メダルが遊技者により投入されたこと、等により遊技開始指令信号を出力するように構成し、ベットボタンの操作または遊技メダルの投入から所定の表示手段に特定の表示が表示されるまで。遊技開始指令信号を出力する図柄始動手段が遊技媒体（例えば遊技球）の入賞または通過を検出してから変動表示手段（所定の表示手段）に遊技結果が表示されるまで。遊技開始指令信号を出力する図柄始動手段が遊技媒体の入賞または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用してもよい。
【００９４】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用して遊技を実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【図面の簡単な説明】
【００９５】
【図１】遊技機の斜視図。
【図２】液晶表示装置の表示状態を示す説明図。
【図３】主制御回路の構成を示すブロック図。
【図４】副制御回路の構成を示すブロック図。
【図５】危険度管理テーブルを示す図。
【図６】メインルーチンのフローチャートを示す図。
【図７】危険度測定処理ルーチンのフローチャートを示す図。
【符号の説明】
【００９６】
１  遊技機
２  キャビネット
５  液晶表示装置
２９ａ〜２９ｃ  ＬＥＤランプ
７２  副制御回路
７４  サブＣＰＵ
７７  ＬＥＤ駆動回路
８１  画像制御回路
１０１  ＣＣＤカメラ支持体
１０２  ＣＣＤカメラ
【図１】
2008000259.tif 000003
【図２】
2008000259.tif 000004
【図３】
2008000259.tif 000005
【図４】
2008000259.tif 000006
【図５】
2008000259.tif 000007
【図６】
2008000259.tif 000008
【図７】
2008000259.tif 000009